(57)【要約】【課題】  エッジライト方式バックライトにおいて、導光板の機構的な保持を図りつつ、導光板の保持固定部周辺における品位低下を防ぐ。【解決手段】  透光性材料からなるくさび型導光板２の肉厚側側面に近接して線状光源３が設けられ、その光入射面から入射された光源光が入光側から肉薄な反対側に向かって内部を伝播しながら一方の広面から出射されるエッジライト方式バックライトにおいて、光入射方向に平行な導光板２の両側面の入光側とは反対側に、導光板２を保持固定するために、爪形状、曲線エッジ形状、二重爪形状などの突出部２ａが設けられる。この突出部２ａは、パネルシャーシ１の内側面に設けられた窪み部１ａ内に嵌め込まれ、±Ｘ方向、±Ｙ方向および±Ｚ方向の３軸方向に導光板２を保持固定できる。【選択図】  図１
2006196409.tif 000002
【特許請求の範囲】
【請求項１】
導光板の光入射面に隣接する両側面の長手方向中央位置を含まない該光入射面側とは反対側にそれぞれ、保持固定用の突出部がそれぞれ設けられているエッジライト方式バックライト。
【請求項２】
前記導光板は、平面視正方形または矩形の透光性材料の厚肉側の側面を光入射面として一方の広面から光出射可能とするくさび型導光板であり、
前記両側面は前記光入射面およびこれに対向する側面を除く側面であり、前記突出部は、該両側面の長手方向中央位置を含まない薄肉側にそれぞれ設けられている請求項１に記載のエッジライト方式バックライト。
【請求項３】
前記導光板は、厚さが均一な平板である請求項１に記載のエッジライト方式バックライト。
【請求項４】
前記突出部は、前記両側面の先端部にそれぞれ設けられている請求項１〜３のいずれかに記載のエッジライト方式バックライト。
【請求項５】
前記突出部は、左右または上下の前記両側面の対称位置にそれぞれ設けられている請求項１〜４のいずれかに記載のエッジライト方式バックライト。
【請求項６】
前記突出部は、左右または上下の前記両側面の非対称位置にそれぞれ設けられている請求項１〜４のいずれかに記載のエッジライト方式バックライト。
【請求項７】
前記突出部の形状は、爪状、耳状、曲線エッジ形状および複数爪状の少なくともいずれかである請求項１〜６のいずれかに記載のエッジライト方式バックライト。
【請求項８】
前記突出部は、前記両側面の突出位置の厚さと同一の厚さである請求項２に記載のエッジライト方式バックライト。
【請求項９】
前記突出部の厚さは、前記両側面の厚さより薄い請求項３に記載のエッジライト方式バックライト。
【請求項１０】
前記突出部は、その突出先端部ほど細くかつ薄くなっている請求項１〜７のいずれかに記載のエッジライト方式バックライト。
【請求項１１】
前記導光板の光入射面に沿って線状光源が設けられ、該光入射面から入射された光源光が、該光入射面側から反対側に向かって内部を伝播しながら一方の広面から出射可能とされている請求項１〜３のいずれかに記載のエッジライト方式バックライト。
【請求項１２】
請求項１〜１１のいずれかに記載のエッジライト方式バックライトがパネルシャーシ上に搭載されて、該パネルシャーシ上の内側面の窪み部内に前記突出部が嵌め込まれている液晶表示装置。
【請求項１３】
前記パネルシャーシの内側面は、前記導光板を前記両側面に垂直な方向に位置規制している請求項１２に記載の液晶表示装置。
【請求項１４】
前記窪み部はそれぞれ、互いに対向する前記パネルシャーシの内側面に開口してそれぞれ設けられている請求項１２または１３に記載の液晶表示装置。
【請求項１５】
前記パネルシャーシは前記導光板を、前記パネルシャーシの内側面、前記突出部および前記窪み部によって±Ｘ方向、±Ｙ方向および±Ｚ方向の空間３軸方向に位置規制している請求項１２〜１４のいずれかに記載の液晶表示装置。
【請求項１６】
前記突出部は、前記窪み部内に、前記パネルシャーシ側を反らせることにより嵌め込み可能としている請求項１２〜１５のいずれかに記載の液晶表示装置。
【請求項１７】
前記パネルシャーシは可撓性のある樹脂板により構成されている請求項１６に記載の液晶表示装置。
【請求項１８】
前記パネルシャーシは、前記光入射面に隣接する広面端縁部側を該広面に垂直な方向に位置規制している請求項１２または１５に記載の液晶表示装置。
【請求項１９】
前記パネルシャーシの底面上に反射シートさらに、前記光入射面に沿って線状光源が設けられた前記導光板を載置し、該導光板の広面上に光拡散エレメントさらに表示パネルを配置している請求項１２に記載の液晶表示装置。
【請求項２０】
前記光拡散エレメントは、前記導光板の広面上に、前記突出部の近傍位置で他の位置よりも密集して形成されている請求項１９に記載の液晶表示装置。
【発明の詳細な説明】
【技術分野】
【０００１】
本発明は、透過型または半透過型表示パネルを背面側から照射するためのエッジライト方式バックライトおよびこれを用いた液晶表示装置に関する。
【背景技術】
【０００２】
近年、ノートブック型パーソナルコンピュータなどの表示部には、薄型でしかも見易いバックライトを備えた液晶表示装置が用いられている。このようなバックライトとしては、透光性材料からなる導光板の一側面に蛍光管のような線状光源が配置された一灯型エッジライト方式バックライトや、導光板の互いに対向する二側面に線状光源がそれぞれ配置された二灯型エッジライト方式バックライトが用いられることが多い。
【０００３】
例えば、一灯型エッジライト方式バックライトでは、くさび型の導光板が用いられており、その導光板の肉厚側の側面に近接して線状光源が設けられている。光入射面から入射された光源光が、入光面側から肉薄な対向面側に向かって内部を伝播されながら、一方の広面（前面側）から出射され、前面側に配置された表示パネルに入射されるようになっている。
【０００４】
このようなエッジライト方式バックライトにおいて、導光板の機構的な保持のために、パネルシャーシ上または内部に段差を設けて、導光板側面に形成された耳を利用して保持を行う方法が一般的である。
【０００５】
図４および図５は、従来のエッジライト方式バックライトの保持方法を説明するための模式図であって、図４（ａ）は従来のパネルシャーシにエッジライト方式バックライトが搭載された状態を示す上面図、図４（ｂ）はその側面図、図５は、図４（ａ）のＢ−Ｂ’線断面図である。
【０００６】
図４および図５において、 パネルシャーシ１１は、互いに斜めに傾斜した底面を有しており、その底面の薄い部分にくさび型導光板１２の肉厚部が、その厚い部分にくさび型導光板１２の肉薄部が配置されるように、パネルシャーシ１１上にくさび型導光板１２が搭載されている。また、パネルシャーシ１１には、くさび型導光板１２の肉厚部の側面に対向する位置に線状光源１３とこれを覆いその側面側に光出射させるランプリフレクター１４とが配置されている。導光板１２の背面側には反射シート１５が設けられており、くさび型導光板１２の背面側に向かう光が反射シート１５により前面側に反射される。以上のくさび型導光板１２、線状光源１３、ランプリフレクター１４および反射シート１５によりエッジライト方式バックライト２０が構成され、くさび型導光板１２の広面の前面側には図示しない表示パネルが配置されて、くさび型導光板１２の広面側から出射される光がバックライトとして表示パネルに入射されるようになっている。
【０００７】
くさび型導光板１２の両側面には耳部１２ａが設けられており、パネルシャーシ１１には耳部１２ａのＸ方向およびＹ方向の平面サイズに合わせた段差部１１ａが設けられている。この段差部１１ａ上に耳部１２ａを上から嵌合させて載置することによって、導光板１２が保持固定される。
【０００８】
このようなエッジライト方式バックライト２０では、導光板材料よりも屈折率が大きい光拡散物質を部分的に被覆させたり、導光板表面を粗面化させたり、導光板に穴を開けることなどによって、導光板の一方の広面に光を拡散させる機能を有する光拡散エレメントを形成したり、導光板の前面側に光拡散板を配置したりし、導光板の背面側に上記光反射板を配置することによって、広面全面に渡って輝度均一性を向上させることが行われている。
【０００９】
このため、例えば特許文献１には、導光板に形成された突出部（耳部）近傍の光を拡散させるために、耳部周辺に光拡散エレメント（シボ、ドット印刷など）を密集させることによって、耳部周辺の輝度均一性を向上させたバックライトが開示されている。
【００１０】
図６は、特許文献１に開示されている従来のエッジ方式バックライトの構成例を説明するための外観図であって、（ａ）は導光板の外観構成例を示す上面図、（ｂ）はその光拡散エレメントの状態を示す部分上面図である。
【００１１】
図６において、導光板１２には、印刷パターンにより光拡散エレメントが表面側に設けられており、耳部１２ａの近傍部分Ａの光拡散エレメントは他の部分よりも密集して形成されている。耳部１２ａの近傍では、耳部１２ａに光が入射されることによって輝度が小さくなるため、光拡散エレメントを他の部分よりも密集させることによって、耳部１２ａ近傍部分Ａで光拡散機能が大きくなり、輝度低下を補うことができる。
【特許文献１】特開平８−７６１１６号公報
【発明の開示】
【発明が解決しようとする課題】
【００１２】
しかしながら、上述した従来技術では、図４に示すように、くさび型導光板１２の両側面に耳部１２ａが形成されているため、導光板１２の底面および反射シート１５によって光が反射されて広面の前面側に光出射される過程において、くさび型導光板１２の耳部１２ａに入射される光量が増え、輝度むらや光漏れなどの原因となりやすい。
【００１３】
特に、一灯エッジライト方式バックライトでは、導光板１２がくさび型であり、入光部から反対側に向かうにしたがって、導光板１２の板厚が薄くなっている。このような従来技術では、くさび型導光板１２の側面の肉厚部分に耳部１２ａが設けられていると、その分だけ重量が増加するという問題がある。また、パネルシャーシ１１の内部に厚みが大きい耳部１２ａを嵌め込んで保持することはより困難であるため、パネルシャーシ１１の段差部１１ａに耳部１２ａを載せて保持する方式が一般的となっている。このため、パネルシャーシ１１単体では＋Ｚ方向（上下方向）にくさび型導光板１２を保持固定することが困難となり、拡散シートとの関係で干渉むらなどの一因となっている。
【００１４】
さらに、上記特許文献１の従来技術は、くさび型導光板１２の耳部１２ａに入射される光量によって耳部周辺の光量が減少して表示品位が低下することを防ぐために、くさび型導光板１２の耳部１２ａ近傍の表面側に光拡散用のドットパターンの集中を図ったものであり、くさび型導光板１２の耳部１２ａに光が入り込むことに対しては、何らの根本的な対策とはなっていない。
【００１５】
本発明は、上記従来の問題を解決するもので、導光板の機構的な保持を図りつつ、導光板の保持固定部周辺における表示品位低下を防止できるエッジライト方式バックライトおよびこれを用いた液晶表示装置を提供することを目的とする。
【課題を解決するための手段】
【００１６】
本発明のエッジライト方式バックライトは、導光板の光入射面に隣接する両側面の長手方向中央位置を含まない該光入射面側とは反対側にそれぞれ、保持固定用の突出部がそれぞれ設けられており、そのことにより上記目的が達成される。
【００１７】
また、好ましくは、本発明のエッジライト方式バックライトにおける導光板は、平面視正方形または矩形の透光性材料の厚肉側の側面を光入射面として一方の広面から光出射可能とするくさび型導光板であり、前記両側面は前記光入射面およびこれに対向する側面を除く側面であり、前記突出部は、該両側面の長手方向中央位置を含まない薄肉側にそれぞれ設けられている。
【００１８】
さらに、好ましくは、本発明のエッジライト方式バックライトにおける導光板は、厚さが均一な平板である。
【００１９】
さらに、好ましくは、本発明のエッジライト方式バックライトにおける突出部は、前記両側面の先端部にそれぞれ設けられている。
【００２０】
さらに、好ましくは、本発明のエッジライト方式バックライトにおける突出部は、左右または上下の前記両側面の対称位置にそれぞれ設けられている。
【００２１】
さらに、好ましくは、本発明のエッジライト方式バックライトにおける突出部は、左右または上下の前記両側面の非対称位置にそれぞれ設けられている。
【００２２】
さらに、好ましくは、本発明のエッジライト方式バックライトにおける突出部の形状は、爪状、耳状、曲線エッジ形状および複数爪状の少なくともいずれかである。
【００２３】
さらに、好ましくは、本発明のエッジライト方式バックライトにおける突出部は、前記両側面の突出位置の厚さと同一の厚さである。
【００２４】
さらに、好ましくは、本発明のエッジライト方式バックライトにおける突出部の厚さは、前記両側面の厚さより薄い。
【００２５】
さらに、好ましくは、本発明のエッジライト方式バックライトにおける突出部は、その突出先端部ほど細くかつ薄くなっている。
【００２６】
さらに、好ましくは、本発明のエッジライト方式バックライトにおいて、前記導光板の光入射面に沿って線状光源が設けられ、該光入射面から入射された光源光が、該光入射面側から反対側に向かって内部を伝播しながら一方の広面から出射可能とされている。
【００２７】
本発明の液晶表示装置は、請求項１〜１１のいずれかに記載のエッジライト方式バックライトがパネルシャーシ上に搭載されて、該パネルシャーシ上の内側面の窪み部内に前記突出部が嵌め込まれており、そのことにより上記目的が達成される。
【００２８】
また、好ましくは、本発明の液晶表示装置におけるパネルシャーシの内側面は、前記導光板を前記両側面に垂直な方向に位置規制している。
【００２９】
さらに、好ましくは、本発明の液晶表示装置における窪み部はそれぞれ、互いに対向する前記パネルシャーシの内側面に開口してそれぞれ設けられている。
【００３０】
さらに、好ましくは、本発明の液晶表示装置におけるパネルシャーシは前記導光板を、前記パネルシャーシの内側面、前記突出部および前記窪み部によって±Ｘ方向、±Ｙ方向および±Ｚ方向の空間３軸方向に位置規制している。
【００３１】
さらに、好ましくは、本発明の液晶表示装置における突出部は、前記窪み部内に、前記パネルシャーシ側を反らせることにより嵌め込み可能としている。
【００３２】
さらに、好ましくは、本発明の液晶表示装置におけるパネルシャーシは可撓性のある樹脂板により構成されている。
【００３３】
さらに、好ましくは、本発明の液晶表示装置におけるパネルシャーシは、前記光入射面に隣接する広面端縁部側を該広面に垂直な方向に位置規制している。
【００３４】
さらに、好ましくは、本発明の液晶表示装置におけるパネルシャーシの底面上に反射シートさらに、前記光入射面に沿って線状光源が設けられた前記導光板を載置し、該導光板の広面上に光拡散エレメントさらに表示パネルを配置している。
【００３５】
さらに、好ましくは、本発明の液晶表示装置における光拡散エレメントは、前記導光板の広面上に、前記突出部の近傍位置で他の位置よりも密集して形成されている。
【００３６】
上記構成により、以下に、本発明の作用について説明する。
【００３７】
本発明にあっては、導光板の光入射面に隣接する両側面の光入射面側とは反対側に、導光板の保持固定部（突出部）が設けられているため、突出部に入り込む光が少なくなり、光漏れによる輝度むらを減らすことが可能となる。即ち、両側面に耳部を設けた従来技術に比べて、光が入り込みにくく、光漏れを防いで局所的な輝度むらを低減することが可能となる。
【００３８】
特に、くさび型導光板の場合、この保持固定部（突出部）は、肉薄部側に設けられているため、両側面に耳部を設けた従来技術に比べて、導光板の重量削減を図ることが可能となる。
【００３９】
さらに、この突出部は、両側面に耳部を設けた従来技術のようにパネルシャーシの段差部上に載せるだけではなく、パネルシャーシ側面の窪み部内に嵌め込んで、導光板を±Ｘ方向、±Ｙ方向および±Ｚ方向の全方向に保持固定することが可能となる。±Ｚ方向に導光板を固定することができるため、拡散シートとの間で干渉むらが生じることが抑制される。
【発明の効果】
【００４０】
以上説明したように、本発明によれば、導光板の光入射面に隣接する両側面の光入射面側とは反対側に、導光板の保持固定部（突出部）が設けられているため、導光板の保持固定部（突出部）をパネルシャーシ側面の窪み部に嵌め込むことによって、機構的な保持を図りつつ、突出部周辺において光漏れなどによる局所的な輝度むらを低減して表示品位低下を防ぐことができる。
【００４１】
また、肉薄部に突出部が設けられていれば、導光板重量を削減して液晶表示装置をより軽量化することができる。
【００４２】
さらに、パネルシャーシ側面に突出部を嵌め込むことにより、±Ｘ方向および±Ｙ方向に加えて、上下の±Ｚ方向の全方向で保持固定することができて、＋Ｚ方向に対する制限によって拡散シートとの間で干渉むらを抑制することができる。
【発明を実施するための最良の形態】
【００４３】
以下に、本発明のエッジライト方式バックライトおよびこれを備えた液晶表示装置の実施形態について、図面を参照しながら説明する。
【００４４】
図１および図２は、本発明の実施形態に係るエッジライト方式バックライトの保持方法を説明するための模式図であって、図１（ａ）は本発明のパネルシャーシに本発明のエッジライト方式バックライトが搭載された状態を示す上面図、図１（ｂ）はその側面図、図２は、図１（ａ）のＡ−Ａ’線断面図である。
【００４５】
図１および図２において、 パネルシャーシ１は、斜めに傾斜した底面を有しており、その底面の薄い部分にくさび型導光板２の肉厚部が配置され、その厚い部分にくさび型導光板２の肉薄部が配置されるように、パネルシャーシ１に導光板２が搭載されている。また、パネルシャーシ１には、くさび型導光板２の肉厚部の側面に対向する位置に線状光源３とこれを覆いその側面側に光出射させるランプリフレクター４とが配置されている。くさび型導光板２の背面側には、反射シート５が設けられており、導光板２の背面側に向かう光が前面側に反射される。以上のくさび型導光板２、線状光源３、ランプリフレクター４および反射シート５によりエッジライト方式バックライト１０が構成されている。また、パネルシャーシ１にエッジライト方式バックライト１０が配置され、このエッジライト方式バックライト１０のくさび型導光板１２の広面の前面側には、必要に応じて図示しない拡散シートが設けられ、その上に図示しない表示パネルが配置されて液晶表示装置が構成されて、くさび型導光板１２の広面側から出射される光がバックライトとして拡散シートや光拡散エレメントさらに表示パネルに入射されて液晶表示に寄与するようになっている。
【００４６】
導光板２には、肉薄部である両側面の反入光側隅部（入光側とは反対側の両側面の先端部）にそれぞれ突出部２ａが設けられており、パネルシャーシ１には、両側面の反入光側隅部における底面側に近い部分に、突出部２ａのＸ方向、Ｙ方向およびＺ方向のサイズに合わせた窪み部１ａが設けられている。
【００４７】
本実施形態において、突出部２ａは、例えば図３（ａ）に示すような爪形状とされている。その他に、例えば図３（ｂ）に示すような曲線エッジ形状、または図３（ｃ）に示すようなかぎ爪形状（複数爪形状）などの突出部２ａを形成してもよい。
【００４８】
この窪み部１ａに突出部２ａを嵌め込むことによって、導光板２が±Ｘ方向および±Ｙ方向の平面方向の他に、平面方向の面に垂直な±Ｚ方向（上下方向）にも保持固定され得る。
【００４９】
以上のように、従来のエッジライト方式バックライト２０と本発明のエッジライト方式バックライト１０とを比較すると、従来のエッジライト方式バックライト２０では、図３（ｄ）に示すように、導光板１２の側面に耳部１２ａが設けられており、厚みが大きいため、耳部に入り込む光量が多くなって光漏れ量が大きくなり、輝度むらが生じて表示品位が低下していた。また、耳部１２ａの厚みが大きいため、導光板１２の重量が増えて液晶表示装置の重量も重くなっていた。さらに、耳部１２ａの厚みが大きいため、パネルシャーシ１１の側面に耳部を嵌め込むことができず、パネルシャーシ上面に耳部１２ａを載せて導光板１２を保持固定するため、パネルシャーシ１１単体で＋Ｚ方向に対する保持制御を行うことができず、導光板１２と拡散シートとの間で干渉むらが生じて表示品位が低下していた。
【００５０】
これに対して、本実施形態のエッジライト方式バックライト１０では、くさび型導光板２の突出部２ａを肉薄部である反入光側隅部に設けて、パネルシャーシ１側面の窪み部１ａに嵌め込むことによって、機構的な保持を図りつつ、突出部２ａ周辺において光漏れなどによる局所的な輝度むらを低減して表示品位低下を防ぐことができる。また、肉薄部に突出部２ａが設けられているため、導光板２の重量を削減して液晶表示装置を軽量化することができる。さらに、パネルシャーシ１の側面に設けられた窪み部１ａに突出部２ａを嵌め込むことにより、±Ｘ方向および±Ｙ方向の他に、±Ｚ方向の全方向で導光板２を保持固定することが可能であり、＋Ｚ方向に対する制限によって拡散シートとの間で干渉むらを抑制することができる。
【００５１】
なお、上記実施形態では、平面視正方形または矩形の透光性材料の厚肉側の側面を光入射面として一方の広面から光出射可能とするくさび型導光板２に対して、このくさび型導光板２の光入射面に隣接する左右の両側面の各先端部に保持固定用の突出部２ａをそれぞれ設ける場合について説明したが、これに限らず、導光板２ａは、両側面の長手方向中央位置を含まない光入射面側とは反対側（薄肉側）であればよい。
【００５２】
また、上記実施形態では、くさび型導光板２に突出部２ａを設ける場合について説明したが、これに限らず、厚さが均一な平行平板である導光板に突出部２ａを設けるようにしてもよい。この場合には、この突出部２ａの厚さは、導光板２の両側面の厚さより薄くなる。
【００５３】
さらに、上記実施形態では、突出部２ａは、くさび型導光板２における左右または上下の両側面の対称位置にそれぞれ設けるようにしたが、これに限らず、両突出部２ａを、左右または上下の両側面の非対称位置にそれぞれ設けてもよい。
【００５４】
さらに、上記実施形態では、突出部２ａの形状として、爪状、曲線エッジ形状および複数爪状の少なくともいずれかであるとしたが、耳状や半円状、半楕円状など他の形状であってもよい。また、上記実施形態では、特に説明しなかったが、突出部２ａは、くさび型導光板２の両側面の突出位置の厚さと同一の厚さであってもよく、その突出先端部ほど細くかつ薄くなっていてもよい。
【００５５】
次に、本発明の液晶表示装置について説明する。上記実施形態では、本実施形態のエッジライト方式バックライト１０がパネルシャーシ１上に搭載されて、パネルシャーシ１上の内側面の窪み部１ａ内に突出部２ａが嵌め込まれており、このパネルシャーシ１の内側面により、導光板２が両側面に垂直な方向に位置規制されている。さらに、この窪み部１ａ（凹部または嵌合部）はそれぞれ、互いに対向するパネルシャーシ１の内側面に開口している。これらのパネルシャーシ１の内側面、突出部２ａおよび窪み部１ａによって，パネルシャーシ１は導光板２を、±Ｘ方向、±Ｙ方向および±Ｚ方向の空間３軸方向に位置規制している。
【００５６】
上記実施形態では、特に説明しなかったが、突出部２ａは、窪み部１ａ内に、パネルシャーシ１側を反らせることにより嵌め込み可能としている。この場合に、パネルシャーシ１は可撓性のあるポリカーボネイトやアクリルなどの樹脂板によって構成されていてもよい。
【００５７】
さらに、上記実施形態では、特に説明しなかったが、パネルシャーシ１またはランプリフレクター４は、光入射面に隣接する広面端縁部側を広面に垂直な方向に位置規制している。
【００５８】
本発明の液晶表示装置は、パネルシャーシ１の底面上に反射シート５さらに、光入射面に沿って線状光源３が設けられた導光板２を載置し、この導光板２の広面上に拡散シートや光拡散エレメントさらに表示パネルを配置している。光拡散エレメントは、導光板２の広面上に、輝度の付均一性を抑制するために、この突出部２ａの近傍位置で他の位置よりも密集して形成されている。
【００５９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００６０】
本発明は、ノートブック型パーソナルコンピュータの表示部などに用いられる液晶表示装置および、そのバックライトとして用いられ、透過型または半透過型表示パネルを背面側から照射するためのエッジライト方式バックライトの分野において、くさび型導光板の保持固定部（突出部）を肉薄部である反入光側隅部に設けて、パネルシャーシの内側面の窪み部に嵌め込むことによって、機構的な保持を図りつつ、突出部周辺において光漏れなどによる局所的な輝度むらを低減して表示品位低下を防ぐことができる。また、くさび型導光板の肉薄部側に突出部が設けられているため、導光板重量を削減して液晶表示装置をより軽量化することができる。さらに、パネルシャーシの内側面に突出部を嵌め込むことにより、±Ｘ、±Ｙおよび±Ｚの空間３軸座標系の全方向で抜けることなく保持固定することができて、＋Ｚ方向に対する制限によって拡散シートとの間で干渉むらを抑制して表示品位低下を防ぐことができる。
【図面の簡単な説明】
【００６１】
【図１】本発明の実施形態に係るエッジライト方式バックライトの保持方法を説明するための模式図であって、（ａ）は本発明のパネルシャーシ上に本発明のエッジライト方式バックライトが搭載された状態を示す上面図、（ｂ）は（ａ）の側面図である。
【図２】図１（ａ）のＡ−Ａ’線断面図である。
【図３】（ａ）〜（ｃ）はそれぞれ、本発明の実施形態のエッジライト方式バックライトにおける導光板突出部の形状例を示す斜視図であり、（ｄ）は従来のエッジライト方式バックライトにおける導光板耳部の形状例を示す斜視図である。
【図４】従来のエッジライト方式バックライトの保持方法を説明するための模式図であって、（ａ）はパネルシャーシにエッジライト方式バックライトが搭載された状態を示す上面図、（ｂ）は（ａ）の側面図である。
【図５】図４（ａ）のＢ−Ｂ’線断面図である。
【図６】特許文献１に開示されている従来のエッジ方式バックライトの構成例を説明するための模式図であって、（ａ）は導光板の構成例を示す上面図、（ｂ）はその光拡散エレメントの状態を示す導光板の部分上面図である。
【符号の説明】
【００６２】
１  パネルシャーシ
１ａ  窪み部
２  導光板
２ａ  導光板の突出部
３  線状光源
４  ランプリフレクター
５  反射シート
１０  エッジ方式バックライト
【図１】
2006196409.tif 000003
【図２】
2006196409.tif 000004
【図３】
2006196409.tif 000005
【図４】
2006196409.tif 000006
【図５】
2006196409.tif 000007
【図６】
2006196409.tif 000008